(57)【要約】  【課題】止水板およびダウエルバーを簡単に設置できるようにする。  【解決手段】各コンクリート板８を法面２に対して所定間隔をあけて配設する度に、コンクリート３０が、コンクリート板８の上側から投入される。同じ高さ位置にある横方向の隣り合う左右一対のコンクリート板８Ａと８Ｂとのうち、例えば一方のコンクリート板８Ａの側縁部下方位置に保持具５０を配設して、保持具５０をコンクリート板８と法面２との少なくとも一方に固定する。止水板６１における一方側側縁部の一部を保持具５０の第１保持部５３に保持させると共に、ダウエルバー６２の一端部を保持具５０の第２保持部５５にスライド自在に保持させる。止水板６１の他方が側縁部およびダウエルバー６２の他端部が、他方のコンクリート板８Ｂの直下方に位置した状態で、各コンクリート板８Ａ、８Ｂの上側からコンクリート３０が投入される。【選択図】  図１０
2017193842.tif 000002
【特許請求の範囲】
【請求項１】
法面に対して一定間隔をあけつつ該法面に沿って下側から上側に向けて順次コンクリート板を配設すると共に、同じ高さ位置にある横方向に隣り合う左右一対の該コンクリート板の間に跨がるようにして止水板およびダウエルバーを配設し、該各コンクリート板と該法面との間の空間に上側からコンクリートを投入して、該投入されたコンクリート内に該止水板および該ダウエルバーが埋め込まれるようにした土木構築物の施工方法であって、
前記止水板における一方側側縁部の一部を保持する第１保持部と、前記ダウエルバーの一端部をスライド自在に保持する第２保持部と、を有する保持具を用意し、
前記保持具を、前記左右一対の前記コンクリート板のうち一方のコンクリート板の側縁部と前記法面との間に配設すると共に、該コンクリート板と前記法面との少なくとも一方に固定された状態とし、
前記止水板における一方側側縁部の一部を第１保持部に保持させると共に、該止水板における他方側側縁部を該左右一対のコンクリート板のうち他方のコンクリート板の下方空間に突出するように配設し、
前記ダウエルバーの一端部を前記第２保持部にスライド自在に保持させると共に、他端部を前記他方のコンクリート板の下方空間に突出するように配設し、
前記左右一対の前記コンクリート板の上側からコンクリートを投入して、該投入されたコンクリートによって、前記保持具を埋め込むと共に、前記止水板における他方側側縁部および前記ダウエルバーの他端部を埋め込む、
ことを特徴とする土木構築物の施工方法。
【請求項２】
請求項１において、
前記第１保持部が、前記止水板における前記一方側側縁部の一部が挿入されるスリット状として形成されている、ことを特徴とする土木構築物の施工方法。
【請求項３】
請求項２において、
前記第１保持部に前記止水板における前記一方側側縁部が挿入、保持された状態で、前記保持具に設けた固定具によって該一方側側縁部が前記保持具に対して固定される、ことを特徴とする土木構築物の施工方法。
【請求項４】
請求項２において、
前記スリット状とされた前記第１保持部が、奥側に向けて徐々に隙間が小さくなるようにされて、前記止水板における前記一方側側縁部を該第１保持部内に深く挿入することによって該一方側側縁部が該スリット内で強く挟持される、ことを特徴とする土木構築物の施工方法。
【請求項５】
請求項１ないし請求項４のいずれか１項において、
前記第２保持部が、前記ダウエルバーの一端部がスライド自在に挿入される筒状として形成されている、ことを特徴とする土木構築物の施工方法。
【請求項６】
請求項１ないし請求項５のいずれか１項において、
前記第１保持部が前記第２保持部の上方に位置設定されている、ことを特徴とする土木構築物の施工方法。
【請求項７】
同じ高さ位置で横方向に隣り合う一対のコンクリート板に跨がるように配設される止水板とダウエルバーとを法面上において保持しておくための保治具であって、
前記止水板における一方側側縁部の一部が挿入されるスリット状の第１保持部と、
前記第１保持部の下方に設けられ、前記ダウエルバーの一端部をスライド自在に保持する筒状の第２保持部と、
を備えていることを特徴とする土木構築物を施工する際に用いる保持具。
【請求項８】
請求項７において、
前記一方側側縁部を前記第１保持部に挿入した状態で、その厚み方向一方側から押圧して該一方側側縁部を該保持具に固定しておくための固定具を有している、ことを特徴とする土木構築物を施工する際に用いる保持具。
【請求項９】
請求項７において、
前記スリット状とされた前記第１保持部が、奥側に向けて徐々に隙間が小さくなるようにされて、前記止水板における前記一方側側縁部を該第１保持部内に深く挿入することによって該一方側側縁部が該スリット内で強く挟持される、ことを特徴とする土木構築物を施工する際に用いる保持具。
【請求項１０】
請求項７ないし請求項９のいずれか１項において、
上端部に前記コンクリート板への固定部を有し、
下端部に前記法面への固定部を有している、
ことを特徴とする土木構築物を施工する際に用いる保持具。
【発明の詳細な説明】
【技術分野】
【０００１】
本発明は、土木構築物の施工方法およびこれに用いる保持具に関する。
【背景技術】
【０００２】
土木構築物の施工方法には、特許文献１に示すように、法面に対して一定間隔をあけつつ該法面に沿って下側から上側に向けて順次、コンクリート板を配設すると共に、該各コンクリート板と法面との間に上方側からコンクリートを投入するものが提案されている。
【先行技術文献】
【特許文献】
【０００３】
【特許文献１】特許第４７８９６７４号公報
【発明の概要】
【発明が解決しようとする課題】
【０００４】
ところで、法面とコンクリート板との間にコンクリートを投入して護岸を構築する場合に、例えば防潮堤等で要求されるように、同じ高さ位置において横方向に隣り合う左右一対のコンクリート板の間に跨がって止水板およびダウエルバーを配設することが要求される。
【０００５】
止水板およびダウエルバーは、コンクリート板と法面との間に投入されたコンクリート内に埋め込まれることになるが、コンクリート投入前に、所定位置に止水板およびダウエルバーを配設しておく作業が極めて面倒であった。すなわち、例えば法面に固定状態とされた木枠を設置して、この木枠に止水板およびダウエルバーを保持させる必要があり、この木枠の設置等に多大の手間を要することになっていた。
【０００６】
本発明は以上のような事情を勘案してなされたもので、その目的は、止水板およびダウエルバーを簡単に設置できるようにした土木構築物の施工方法およびこれに用いる保持具を提供することにある。
【課題を解決するための手段】
【０００７】
前記目的を達成するため、本発明における土木構築物の施工方法にあっては次のような解決手法を採択してある。すなわち、請求項１に記載のように、
法面に対して一定間隔をあけつつ該法面に沿って下側から上側に向けて順次コンクリート板を配設すると共に、同じ高さ位置にある横方向に隣り合う左右一対の該コンクリート板の間に跨がるようにして止水板およびダウエルバーを配設し、該各コンクリート板と該法面との間の空間に上側からコンクリートを投入して、該投入されたコンクリート内に該止水板および該ダウエルバーが埋め込まれるようにした土木構築物の施工方法であって、
前記止水板における一方側側縁部の一部を保持する第１保持部と、前記ダウエルバーの一端部をスライド自在に保持する第２保持部と、を有する保持具を用意し、
前記保持具を、前記左右一対の前記コンクリート板のうち一方のコンクリート板の側縁部と前記法面との間に配設すると共に、該コンクリート板と前記法面との少なくとも一方に固定された状態とし、
前記止水板における一方側側縁部の一部を第１保持部に保持させると共に、該止水板における他方側側縁部を該左右一対のコンクリート板のうち他方のコンクリート板の下方空間に突出するように配設し、
前記ダウエルバーの一端部を前記第２保持部にスライド自在に保持させると共に、他端部を前記他方のコンクリート板の下方空間に突出するように配設し、
前記左右一対の前記コンクリート板の上側からコンクリートを投入して、該投入されたコンクリートによって、前記保持具を埋め込むと共に、前記止水板における他方側側縁部および前記ダウエルバーの他端部を埋め込む、
ようにしてある。
【０００８】
上記解決手法によれば、止水板およびダウエルバーは、それぞれ保持具に保持させておくことにより所定位置に設置されることになり、止水板およびダウエルバーを所定位置に設置しておくための作業性が向上される。また、保持具がコンクリート板と法面との少なくとも一方に固定された状態でコンクリートの投入が行われるので、コンクリートの投入に伴う止水板やダウエルバーの位置ずれも防止されることになる。
【０００９】
上記解決手法を前提とした好ましい態様は、請求項２〜請求項６に記載のとおりである。すなわち、
前記第１保持部が、前記止水板における前記一方側側縁部の一部が挿入されるスリット状として形成されている、ようにしてある（請求項２対応）。この場合、止水板における一方側側縁部をスリット状とされた第１保持部に挿入するという極めて簡単な作業によって、保持具に止水板を保持させておくことできる。
【００１０】
前記第１保持部に前記止水板における前記一方側側縁部が挿入、保持された状態で、前記保持具に設けた固定具によって該一方側側縁部が前記保持具に対して固定される、ようにしてある（請求項３対応）。この場合、第１保持部による止水板の保持作用を極めて強固なものとして、投入されるコンクリートの重量を受けた際に止水板が不用意に位置ずれしてしまう事態を防止する上で好ましいものとなる。
【００１１】
前記スリット状とされた前記第１保持部が、奥側に向けて徐々に隙間が小さくなるようにされて、前記止水板における前記一方側側縁部を該第１保持部内に深く挿入することによって該一方側側縁部が該スリット内で強く挟持される、ようにしてある（請求項４対応）。この場合、別途固定具を用いることなく、保持具に止水板を強固に保持させておく上で好ましいものとなる。
【００１２】
前記第２保持部が、前記ダウエルバーの一端部がスライド自在に挿入される筒状として形成されている、ようにしてある（請求項５対応）。この場合、ダウエルバーの一端部を安定して保持しておくことができる。
【００１３】
前記第１保持部が前記第２保持部の上方に位置設定されている、ようにしてある（請求項６対応）。この場合、止水板の下方にダウエルバーを配設するという要請に対応する上で好ましいものとなる。
【００１４】
前記目的を達成するため、本発明における保持具にあっては、次のような解決手法を採択してある。すなわち、請求項７に記載のように、
同じ高さ位置で横方向に隣り合う一対のコンクリート板に跨がるように配設される止水板とダウエルバーとを法面上において保持しておくための保治具であって、
前記止水板における一方側側縁部の一部が挿入されるスリット状の第１保持部と、
前記第１保持部の下方に設けられ、前記ダウエルバーの一端部をスライド自在に保持する筒状の第２保持部と、
を備えているようにしてある。上記解決手法によれば、請求項１、請求項２、請求項５に対応した土木構築物の施工方法に用いる保持具を提供することができる。
【００１５】
上記解決手法を前提とした好ましい態様は、請求項８以下に記載のとおりである。すなわち、
前記一方側側縁部を前記第１保持部に挿入した状態で、その厚み方向一方側から押圧して該一方側側縁部を該保持具に固定しておくための固定具を有している、ようにしてある（請求項８対応）。この場合、請求項３に対応した土木構築物の施工方法に用いる保持具を提供することができる。
【００１６】
前記スリット状とされた前記第１保持部が、奥側に向けて徐々に隙間が小さくなるようにされて、前記止水板における前記一方側側縁部を該第１保持部内に深く挿入することによって該一方側側縁部が該スリット内で強く挟持される、ようにしてある（請求項９対応）。この場合、請求項４に対応した土木構築物の施工方法に用いる保持具を提供することができる。
【００１７】
上端部に前記コンクリート板への固定部を有し、
下端部に前記法面への固定部を有している、
ようにしてある（請求項１０対応）。この場合、コンクリート板および法面の両方に対して固定して使用されて、投入されるコンクリートの重量を受けた際に位置ずれしない保持具を提供することができる。
【発明の効果】
【００１８】
本発明によれば、止水板およびダウエルバーを簡単に設置することができる。
【図面の簡単な説明】
【００１９】
【図１】本発明により構成される土木構築物の一例を示す側面断面図。
【図２】コンクリート板の配設例を示す平面図。
【図３】コンクリート板の詳細を示す平面図。
【図４】固定具の一例を示す側面図。
【図５】図４を右方から見た右側面図。
【図６】図４を上方から見た平面図。
【図７】止水板およびダウエルバーを有する護岸を構築する際の工程を示す図。
【図８】図７の次の工程を示す図。
【図９】図８の次の工程を示す図。
【図１０】図９の次の工程を示す図。
【図１１】図１０の次の工程を示す図。
【図１２】図１１を上方から見た平面図。
【図１３】図１２のＸ１３−Ｘ１３線相当断面図。
【図１４】固定具の別の例を示す側面図。
【図１５】図１３を右方から見た右側面図。
【図１６】図１３に上方から見た平面図。
【発明を実施するための形態】
【００２０】
以下、本発明の実施形態について説明するが、まず護岸構築の概要について説明し、その後、止水板およびダウエルバーに関連した部分の説明を行うこととする。
【００２１】
図１は、実施形態に係る土木構築物としての護岸１を示すものである。図１において、法面２が河川側（図１中、左側）から陸上側（図１中、右側）に向うに従って上方に向って延びるよう傾斜されており、その法面２の下端位置には基礎ブロック４が設けられている。法面２は、本実施形態においては、裏込材５と均しコンクリート６とにより形成されている。基礎ブロック４は、河川水の流れ方向（図１中、紙面垂直方向）に延びるようにして配置されており、その基礎ブロック４には、陸上側における上部において、上方に向うに従って河川側に傾斜する支持面４ａが形成されている。
【００２２】
法面２上には、護岸機能を発揮することを主目的として、複数の土木構築物用ユニットが敷き詰められている。各土木構築物用ユニットは、図２〜図３にも示すように、主要要素としてのコンクリート板８を有する。コンクリート板８には、第１浮き上がり防止用アンカーを兼用した高さ調整具９と、第２浮き上がり防止用アンカー１０（以下単に「第２アンカー」と称することもある）とを備えている。高さ調整具９及び第２アンカー１０はコンクリート板８の内面に取付けられている。
【００２３】
コンクリート板８は、その板面をもって法面２を覆うものであり、一定厚みの平面視略正方形状に形成されている。特に図３に示すように、コンクリート板８の一の側面が下側配置端面８ａとされ、その下側配置端面８ａに対向する側面が上側配置端面８ｂとされ、残りの２つの側面が横側側面８ｃとされている。本実施形態においては、このコンクリート板８として、厚み１３０ｍｍ前後、一辺１０００ｍｍ前後のものが用いられている。なお、図２は、コンクリート板８同士を、その横側側面８ｃ同士が一直線上に位置するようにした直列配設の例を示す。
【００２４】
コンクリート板８の下側配置端面８ａには、一定間隔だけ離間した一対の凹部（被係合部又は係合部の一方）１３が形成され、その上側配置端面８ｂには、一対の凹部１３に対応する一対の突部（被係合部又は係合部の他方）１４が突設されている。一対の凹部１３は、隣り合う別（下側）の土木構築物用ユニット７における一対の突部１４に回動可能に嵌め込まれており、その嵌合（係合）状態において、その嵌合部を中心として、その土木構築物用ユニット７は、隣り合う別の土木構築物用ユニット７に対して相対的に上下方向に多少揺動することが許容されることになっている。勿論このとき、本実施形態においては、一対の突部１４と一対の凹部１３との嵌合状態は、極力がたつかないようにしつつ回動可能とされており、当該土木構築物用ユニット７は、コンクリート板８の厚み方向（特に上方側）に変位動しないようにされている。尚、本実施形態においては、凹部１３として、一対の凹部１３を用いているが、それに換えて、一対の凹部が連続的に連なるように構成した一つの凹部（長孔）を用いるようにしてもよい。また、凹部１３を上側配置端面側８ｂに形成し、突部１４を下側配置端面側８ａに形成するようにしてもよい。
【００２５】
コンクリート板８の外面上には、図３に示すように、専用吊上げ金具（図示略）を係止させて吊上げ搬送すべく、吊上げ用ピン１６が立設されている。この場合、コンクリート板８を吊上げ搬送するに際して、所定傾斜状態（下側配置端面８ｂを上側配置端面８ａよりも低くした姿勢）にすべく、吊上げ用ピン１６の位置は、コンクリート板８の重心位置から上側配置端面８ｂ側にオフセットされている。
【００２６】
第１浮き上がり防止用アンカーを兼用した前記高さ調整具９は、コンクリート板８の上端部において左右一対設けられている。高さ調整具９は、コンクリート板８内面における上側配置端面８ｂ側と法面２との間に介在されて、コンクリート板８の高さ（間隔）調整するものであり、この高さ調整具９によりコンクリート板８内面と法面２との間に空間４３が形成されることになる。高さ調整具９は、コンクリート板８の上部において、左右一対設けられている。高さ調整具９の先端部（下端部）には、大きな面積を有するストッパ板２７が上方への移動が規制された状態で保持されている。なお、ストッパ板２７は、例えば鉄板により方形や円形等適宜の形状に形成することができる。前記第２アンカー１０は、コンクリート板８の下端部において左右一対設けられており、法面２には達しない短い長さとされている。
【００２７】
ここで、コンクリート板８には、下側配置端面側８ａに近い側において第１確認孔３１が形成され、上側配置端面側８ｂに近い側において第２確認孔３２が形成されている。各確認孔３１、３２は、コンクリート板８を貫通していて、上述したように空間４３に裏込めコンクリート３０を投入した際に、投入コンクリートの一部が進入して、この進入状態がコンクリート板８の上方から目視によって確認できるようにされている。なお、高さ調整具９は、第２確認孔３２よりも上側配置端面側８ｂ側に位置され、第２アンカー１０は、第１確認孔３１よりも下側配置端面側８ａ側に位置されている。
【００２８】
次に、護岸１を構築する施工法について説明する。まず、基礎ブロック４上に、１段目のコンクリート板８を保持させると共に、高さ調整具９によって法面２との間の間隔が所定間隔となるように調整される。高さ調整具９による高さ調整に際しては、ジャッキによってコンクリート板８の上側配置端面側８ｂ側が保持された状態で行われる。高さ調整具９による高さ調整終了後は、ジャッキが除去される。コンクリート板８の下側配置端面側８側の高さ位置は、基礎ブロック４による保持作用によって、上記所定間隔が確保される。なお、コンクリート板８を基礎ブロック４で保持する際には、基礎ブロック４に形成された保持段部上にコンクリート板８を載置したり、コンクリート板８の下側配置端面側８ａから突出させた連結筋を基礎ブロック４に形成された保持孔に挿入する等、適宜の手法でなし得る（特許文献１に記載の手法を適宜用いることができる）。
【００２９】
次いで、コンクリート板８の上方側から、胴込め用のコンクリート３０を投入する。このコンクリート３０の投入量は、コンクリート３０の一部が第１確認孔３１に進入するが、第２確認孔３２には進入しないように行われる。コンクリート３０の投入後は、図示を略すバイブレータによるバイブレーションが行われる。バイブレーションによって、投入されたコンクリート３０の粘度が低下して（流動性が高められて）、コンクリート内の空気の排出が行われると共に、隅々までコンクリート３０が行き渡るようにされる。
【００３０】
１段目のコンクリート板８に対する投入されたコンクリート３０の高さ位置が、図１において符号β１で示される。β１の高さ位置までコンクリート３０を投入した際には、第２アンカー１０はコンクリート３０内に完全に埋め込まれ、また、高さ調整具９の先端部（下端部）に設けられてストッパ板２７（少なくとも一部または全部）が埋め込まれる。
【００３１】
２段目のコンクリート板８が、１段目のコンクリート板８上に配設される。この場合、１段目（下側）のコンクリート板８の上側配置端面側８ｂに形成された突部１４に対して、２段目（上側）のコンクリート板８の下側配置端面側８ａに形成された凹部１３が嵌合されて、２断面のコンクリート板８の下端部での法面２に対する高さ位置（間隔）が所定寸法とされる。２段目のコンクリート板８の上端部側においては、その高さ調整具９を利用して、法面２に対する高さ（間隔）が所定寸法とされる。
【００３２】
２段目のコンクリート板８の上方側から、空間４３に対して胴込めコンクリート３０が投入される。この場合のコンクリート投入量は、コンクリートの一部が、２段目のコンクリート板８の第１確認孔３１に進入するが第２確認孔３２には進入しないように行われる。コンクリート３０の投入後は、図示を略すバイブレータによるバイブレーションが行われる。
【００３３】
２段目のコンクリート板８に対する投入されたコンクリート３０の高さ位置が、図１において符号β２で示される。β２の高さ位置までコンクリート３０を投入した際には、２段目のコンクリート板８における第２アンカー１０はコンクリート３０内に完全に埋め込まれ、また、高さ調整具９の先端部（下端部）に設けられてストッパ板２７（少なくとも一部または全部）が埋め込まれる。
【００３４】
３段目移行のコンクリート板８の配設と、それに対する胴込めコンクリート３０の投入は、上記２段目のコンクリート板８の場合と同様にして行われる。図１において、３段目のコンクリート板８に対して投入されたコンクリート３０の高さ位置が符号β３で示され、４段目のコンクリート板８に対して投入されたコンクリート３０の高さ位置が符号β４で示され、５段目のコンクリート板８に対して投入されたコンクリート３０の高さ位置が符号β５で示される。なお、護岸１の最上部は、天端仕上げされる。
【００３５】
ここで、上側（例えば２段目）のコンクリート板８に対するコンクリート３０の投入時期は、その下側（例えば１段目）のコンクリート板８に対して投入されたコンクリート３０が流動性が残る半硬化状態（フレッシュコンクリートの状態）でもって行われる。これにより、上下のコンクリート３０同士の接合（結合）強度が高まり、また護岸１を構築する工期も大幅に短縮されることになる。
【００３６】
下側のコンクリート板８に投入されたコンクリート３０が流動性を有する半硬化状態のときに、上側のコンクリート板８に対するコンクリート３０の投入が行われることにより、下側のコンクリート板８には、大きな浮き上がり力が作用することになる。しかしながら、下側のコンクリート板８においては、下側に位置する第２アンカー１０がコンクリート３０内に埋め込まれることと、上側に位置する大きな面積を有するストッパ板２７がコンクリート３０内に埋め込まれることから、下側のコンクリート板８が浮き上がってしまう事態が確実に防止される。つまり、ストッパ板２７の上下面には互いに等しい圧力が作用することとなって、ストッパ板２７が存在する面積に相当する部分だけ、浮き上がりの圧力（に対応してコンクリート板８に作用する上方への力）が低減されることになる。
【００３７】
なお、前回投入したコンクリート３０が十分に硬化した後に、次のコンクリート３０を投入するようにしてもよく、この場合は、ストッパ２７を有しなくても、コンクリート板８の浮き上がり防止を行うことが可能である。
【００３８】
次に、同一高さ位置において横方向に隣り合う左右一対のコンクリート板８の間に跨がって配設される止水板およびダウエルバーの点について説明する。本発明では、止水板とダウエルバーの保持のために、図４〜図６に示すような保持具５０が用いられる。
【００３９】
保持具５０は、鉄板を曲げ加工することにより構成された本体部５１と、本体部５１を補強する補強板５２と、を有する。本体部５１には、その上端部付近において、横方向に伸びるスリット状の第１保持部５３が形成されている。第１保持部５３に対応させて、本体部５１には、ボルトからなる固定具５４が螺合されている。図４〜図６では図示を略すが、止水板における一方側側縁部の一部が挿入されて、挿入状態で固定具５４を締め付けることにより、該一方側側縁部がその厚み方向に強く押圧されて、第１保持部５３に強固に一体化される。
【００４０】
本体部５１には、第１保持部５３のすぐ下方位置において、第２保持部５５が形成されている。この第２保持部５５は、例えば鉄パイプ等によって筒状に形成されて、本体部５１に溶接等によって一体化されている。この第２保持部５５内には、図示を略すが、ダウエルバーの一端部がスライド自在に挿入されるようになっている。なお、第２保持部５５の先端部を閉塞しておいて、この閉塞された部分にダウエルバーが突き当たるまで第２保持部５５内に挿入することにより、挿入部分の長さ（換言すれば第２保持部５５からのダウエルバーの突出長さ）を所望長さとすることができる。
【００４１】
保持具５０の上端部には、コンクリート板８の内面に固定させるための固定具５６（例えばボルト等により構成）が螺合されている。また、保持具５０の下端部には、法面２に固定させるための固定具５７（例えばボルト等により構成）が螺合されている。
【００４２】
次に、図７〜図１３を参照しつつ、横方向に隣り合う左右一対のコンクリート板８の間に跨がって止水板およびダウエルバーを配設する点について説明する。なお、以下の説明では、左右一対のコンクリート板８のうち、一方のコンクリート板を８Ａ、他方のコンクリート板８Ｂとして説明する。また、左右一対の２枚のコンクリート板８Ａと８Ｂについて、２個の保持具５０を用いるようになっているが、用いる保持具５０の数は、１あるいは３以上であってもよい。また、以下の説明で参照される図８〜図１１等では、ストッパ板２７を省略してある。
【００４３】
まず、図７に示すように、保持具５０が、法面２上に設置、固定される（固定具５７を利用した固定）。保持具５０の設置位置は、一方のコンクリート板８Ａのうち、他方のコンクリート板８Ｂに臨む側の面（横側側面８ｃ）の直下方に対応した位置とされる。
【００４４】
この後、図８に示すように、一方のコンクリート板８Ａが、法面２上に配設される（図１についての説明に対応した配設）。そして、保持具５０が、固定具５６を利用して、コンクリート板８Ａの内面に固定される。
【００４５】
図８の後は、図９に示すように、第１保持部５３に、止水板６１における一方側側縁部の一部（長手方向における一部）が挿入されて、固定具５４によって第１保持部５３にしっかりと保持される。また、第２保持部５５内に、ダウエルバー６２の一端部が挿入、保持される。
【００４６】
次いで、図１０に示すように、他方のコンクリート板８Ｂが、一方のコンクリート板８Ａの側方に配設される。このとき、止水板６１の他方側側縁部およびダウエルバー６２の他端部は、他方のコンクリート板８Ｂの下方空間に伸びた状態とされる。
【００４７】
図１０の後、図１１に示すように、左右一対のコンクリート板８Ａと８Ｂとの上側からコンクリート３０が投入される。図１１は、コンクリート３０の投入完了状態を示し、コンクリート３０内に、保持部５０が埋め込まれ、止水板６１の他方側側縁部およびダウエルバー６２の他端部もコンクリート３０内に埋め込まれる。保持具５０は、コンクリート板８と法面２に対して固定されているので、投入されたコンクリート３０の重量を受けても位置ずれすることなく、止水板６１、ダウエルバー６２の所定位置への配設状態が維持される。
【００４８】
図１１の状態に対応した平面図が図１２に示され、図１２Ｘ１３−Ｘ１３線相当での断面図が図１３に示される。
【００４９】
止水板６１とダウエルバー６２は、特に、横方向に隣り合う左右一対のコンクリート板８Ａと８Ｂとに対するコンクリート３０の投入タイミングが相違する場合に用いて好適である。すなわち、コンクリート板８Ａと８Ｂとでコンクリート３０の投入タイミングが大きく相違すると（特に、先に投入したコンクリート３０の硬化後に、後のコンクリート３０の投入を行う場合）、横方向に隣り合うコンクリート３０同士の結合が弱くなるので、止水板６１、ダウエルバー６２を設ける利点が大きいものとなる。なお、コンクリート板８Ａと８Ｂとでコンクリート３０の投入タイミングが相違する場合は、先にコンクリートが投入されるコンクリート板の側方を木枠で覆う一方、止水板６１の他方側側縁部とダウエルバー６２の他端部とをこの木枠を貫通させて、他方のコンクリート板８Ｂ側へ突出させるように設定すればよい。
【００５０】
止水板６１により、左右一対のコンクリート板８Ａと８Ｂとの間（目地）を通して、法面２へ向けての水（雨水や、液面上昇された際の海水や河川水等）の侵入が阻止される。また、ダウエルバー６２によって、左右のコンクリート板８Ａと８Ｂとの位置ずれが防止あるいは抑制される。ダウエルバー６２が第２保持部５５内でスライド可能なことから、コンクリート板８Ａと８Ｂとが大きく相対変位した際にも対応される。止水板６１は、既知のように大きく変形（弾性変形）可能であり、コンクリート板８Ａと８Ｂとの間で多少のずれを生じても、このずれを吸収して止水作用が得られる。
【００５１】
図１４〜図１６は、保持具の変形例を示すものである（保持具５０に対応）。本例における保持具７０は、主としてコンクリートによって形成してある。止水板６１の一方側側縁部が挿入される第１保持部７１が、スリット状として形成されている。スリット状の第１保持部７１は、奥側に向かうにつれて徐々に上下幅が小さくなるようにされて、奥側付近では、止水板６１の一方側側縁部の厚さよりも上下幅が小さくされている。これにより、第１保持部７１内に止水板６１の一方側側縁部を強く押し込むことにより、当該一方側側縁部が第１保持部に強く挟持されることになる。
【００５２】
ダウエルバー６２の板バランスウエイトがスライド自在に挿入される第２保持部７２は、貫通孔形式で形成されている。なお、第２保持部７２の奥側端は、閉塞されたものであってもよい。
【００５３】
保持部７０においても、その上端部にコンクリート板８に対する固定部を形成し、その下端部に法面２に対する固定部を形成することもできる。この場合、例えば、保持具７０にその一部が埋め込まれた鉄板等の連結部材を用いて、この連結部材に設けた固定具（例えばボルト等）によって、コンクリート板８あるいは法面２に対する固定を行うようにしてもよい。なお、固定具７０の使用方法は、固定具５０の場合と同様であるので、その重複した説明は省略する。
【００５４】
以上実施形態について説明したが、本発明はこれに限らず、例えば次のような場合をも含むものである。河川における護岸を対象とする場合に限らず、湖水、海における護岸等にも適用できる。保持具５０（７０）は、コンクリート板８あるいは法面２のいずれか一方のみに固定して使用することもできる。尚、本発明の目的は、明記されたものに限らず、実質的に好ましい或いは利点として記載されたものに対応したものを提供することをも含むものである。
【産業上の利用可能性】
【００５５】
本発明は土木構築物の施工として好適である。
【符号の説明】
【００５６】
１：護岸
２：法面
８：コンクリート板
８Ａ：一方のコンクリート板
８ｂ：他方のコンクリート板
３０：胴込めコンクリート
５０：保持具
５３：第１保持部
５４：固定具（第１保持部用）
５５：第２保持部
５６：固定具（コンクリート板用）
５６：固定具（法面用）
６１：止水板
６２：ダウエルバー
７０：保持具
７１：第１保持部
７２：第２保持部
【図１】
2017193842.tif 000003
【図２】
2017193842.tif 000004
【図３】
2017193842.tif 000005
【図４】
2017193842.tif 000006
【図５】
2017193842.tif 000007
【図６】
2017193842.tif 000008
【図７】
2017193842.tif 000009
【図８】
2017193842.tif 000010
【図９】
2017193842.tif 000011
【図１０】
2017193842.tif 000012
【図１１】
2017193842.tif 000013
【図１２】
2017193842.tif 000014
【図１３】
2017193842.tif 000015
【図１４】
2017193842.tif 000016
【図１５】
2017193842.tif 000017
【図１６】
2017193842.tif 000018